(57)【要約】【課題】タッチダウン現像方式においてトナーの飛散を効果的に防ぐことができる現像装置を提供すること。【解決手段】トナーとキャリアから成る二成分現像剤を磁気的に保持する磁気ローラ２３と、該磁気ローラ２３の下方に配置された回収ローラ（電極部材）２５と、前記磁気ローラ２３から移送されるトナーによってその表面にトナー薄層を担持する現像ローラ２４を備えた現像装置３ａにおいて、前記現像ローラ２４と前記回収ローラ２５間の距離Ａを前記磁気ローラ２３と前記回収ローラ２５間の距離Ｂよりも小さく設定する（Ａ＜Ｂ）。又、前記回収ローラ２５にトナーと同極性の交流電圧を印加する。更に、回収ローラ２５に印加する交流電圧の実効値の絶対値を磁気ローラ２３に印加する交流電圧の実効値の絶対値よりも大きく設定する。又、回収ローラ２５に印加する交流電圧の位相を磁気ローラ２３に印加する交流電圧の位相と同期させる。【選択図】図２
2010048839.tif 000002
【特許請求の範囲】
【請求項１】
トナーとキャリアから成る二成分現像剤を磁気的に保持する磁気ローラと、該磁気ローラの下方に配置された電極部材と、前記磁気ローラから移送されるトナーによってその表面にトナー薄層を担持する現像ローラを備えた現像装置において、
前記現像ローラと前記電極部材間の距離を前記磁気ローラと前記電極部材間の距離よりも小さく設定したことを特徴とする現像装置。
【請求項２】
前記電極部材にトナーと同極性の交流電圧を印加することを特徴とする請求項１記載の現像装置。
【請求項３】
前記電極部材に印加する交流電圧の実効値の絶対値を前記磁気ローラに印加する交流電圧の実効値の絶対値よりも大きく設定したことを特徴とする請求項２記載の現像装置。
【請求項４】
前記電極部材に印加する交流電圧の位相を前記磁気ローラ印加する交流電圧の位相と同期させたことを特徴とする請求項３記載の現像装置。
【請求項５】
前記電極部材を回転可能な回収ローラで構成したことを特徴とする請求項１〜４の何れかに記載の現像装置。
【請求項６】
請求項１〜５の何れかに記載の現像装置を備えたことを特徴とする画像形成装置。
【発明の詳細な説明】
【技術分野】
【０００１】
本発明は、電子写真プロセスによって像担持体上に形成された静電潜像を現像剤を用いて現像するための現像装置とこれを備えた複写機、プリンタ、ファクシミリ等の画像形成装置に関するものである。
【背景技術】
【０００２】
電子写真方式によって用紙に画像を形成する複写機やプリンタ等の画像形成装置においては、像担持体上に形成された静電潜像は現像装置によって現像して現像像として顕像化され、この現像像が用紙上に転写される。そして、現像像が転写された用紙は、定着装置へと搬送され、該定着装置によって熱と圧力によって現像像の定着を受けた後に機外に排出され、これによって一連の画像形成動作が完了する。
【０００３】
ところで、現像剤として乾式トナーを用いる現像方式としては、一成分現像方式と二成分現像方式が知られている。一成分現像方式は、使用する現像剤にキャリアを含まないため、トナーとキャリアから成る二成分現像剤を使用する二成分現像方式においてキャリアとトナーによって形成される磁気ブラシによって像担持体上の静電潜像が乱されることがないために高画質化が可能となる。
【０００４】
ところが、一成分現像方式においては、トナーの帯電量を安定して維持することが困難である。又、カラートナーである場合には、高い透過性が求められるために該カラートナーは非磁性トナーである必要がある。
【０００５】
そこで、フルカラー画像形成装置においては、現像剤としてトナーとこれを帯電及び搬送する媒体としてのキャリアから成る二成分現像剤を用いる二成分現像方式が採用されることが多い。
【０００６】
二成分現像方式を採用する現像装置には、二成分現像剤を担持する磁気ローラ上に形成された磁気ブラシによって現像ローラ上にトナー薄層を形成し、現像ローラ上のトナー薄層によって像担持体上の静電潜像を現像してトナー像として顕像化するタッチダウン現像方式を採用するものがある。
【０００７】
斯かるタッチダウン現像方式には、トナーの飛散によって現像ローラの下部にトナーが溜るという問題があり、この問題を解決するために特許文献１には、磁気ローラと現像ローラの近傍に回収ローラを回転可能に設け、該回収ローラによって飛散トナーを回収し、回収したトナーを回収ローラから剥ぎ取って現像装置内に戻す構成が提案されている。
【０００８】
又、特許文献２には、現像装置のハウジングの現像ローラと対向する箇所に電極板を配置し、この電極板にトナーの帯電極性と同極の電圧を印加することによって、電極板側から現像ローラ側に向かう電界の力で飛散トナーを現像ローラ側に押し戻すようにした構成が提案されている。
【特許文献１】特開２００５−２４２１９４号公報
【特許文献２】特開２００１−０６６８８６号公報
【発明の開示】
【発明が解決しようとする課題】
【０００９】
ところで、現像装置においては、トナーの飛散を防ぐことが高画質や長寿命を実現する上での重要な要素となるが、特許文献１に記載されたタッチダウン現像方式を採用する現像装置においては、磁気ローラと現像ローラのレイアウトに制約があるため、磁気ローラからのトナーの飛散を防ぐことは困難である。
【００１０】
又、特許文献２に開示されているように電極板にトナーの帯電極性と同極の電圧を印加するだけでは、帯電が不十分なトナーは、磁気ローラ上のキャリアから離れ易く、遠心力や重力によって磁気ローラから落下して飛散するという問題がある。又、電極板に印加する電圧が大き過ぎると電極板にキャリアが付着してしまい、このキャリアによって磁気ローラの表面が傷付いたり、磁気ローラと電極板間のギャップが狭くなることによって現像ローラ下部においてキャリアが溢れてしまうという問題が発生する。
【００１１】
本発明は上記問題に鑑みてなされたもので、その目的とする処は、タッチダウン現像方式においてトナーの飛散を効果的に防ぐことができる現像装置及びこれを備えた画像形成装置を提供することにある。
【課題を解決するための手段】
【００１２】
上記目的を達成するため、請求項１記載の発明は、トナーとキャリアから成る二成分現像剤を磁気的に保持する磁気ローラと、該磁気ローラの下方に配置された電極部材と、前記磁気ローラから移送されるトナーによってその表面にトナー薄層を担持する現像ローラを備えた現像装置において、前記現像ローラと前記電極部材間の距離を前記磁気ローラと前記電極部材間の距離よりも小さく設定したことを特徴とする。
【００１３】
請求項２記載の発明は、請求項１記載の発明において、前記電極部材にトナーと同極性の交流電圧を印加することを特徴とする。
【００１４】
請求項３記載の発明は、請求項２記載の発明において、前記電極部材に印加する交流電圧の実効値の絶対値を前記磁気ローラに印加する交流電圧の実効値の絶対値よりも大きく設定したことを特徴とする。
【００１５】
請求項４記載の発明は、請求項３記載の発明において、前記電極部材に印加する交流電圧の位相を前記磁気ローラ印加する交流電圧の位相と同期させたことを特徴とする。
【００１６】
請求項５記載の発明は、請求項１〜４の何れかに記載の発明において、前記電極部材を回転可能な回収ローラで構成したことを特徴とする。
【００１７】
請求項６記載の画像形成装置は、請求項１〜５の何れかに記載の現像装置を備えることを特徴とする。
【発明の効果】
【００１８】
請求項１及び５記載の発明によれば、現像ローラと電極部材間の距離を磁気ローラと電極部材間の距離よりも小さく設定したため、磁気ローラからトナーが飛散しても、この飛散したトナーは電極部材と現像ローラ間の狭い隙間において電極部材又は現像ローラによって再び捕集され、ハウジングの現像ローラが開口する開口部からハウジング外へのトナーの漏出が確実に防がれる。
【００１９】
請求項２記載の発明によれば、電極部材にトナーと同極性の交流電圧を印加したため、磁気ローラ表面に担持されたキャリアからトナーが離れにくくなり、磁気ローラからのトナーの飛散が効果的に防がれる。
【００２０】
請求項３記載の発明によれば、電極部材に印加する交流電圧の実効値の絶対値を磁気ローラ印加する交流電圧の実効値の絶対値よりも大きく設定したため、飛散トナーは磁気ローラ側に戻されて回収され、磁気ローラ表面からのトナーの飛散が防がれるとともに、キャリアの回収ローラへの付着が防がれる。又、帯電が不足するトナーや逆極性に帯電したトナーは回収ローラによって回収され、その飛散が防がれる。
【００２１】
請求項４記載の発明によれば、電極部材に印加する交流電圧の位相を磁気ローラ印加する交流電圧の位相と同期させたため、電極部材と磁気ローラ間には常に一定の電位差が発生し、この電位差によって飛散トナーが磁気ローラ側に移動して回収される。
【００２２】
請求項６記載の発明によれば、トナーの飛散が効果的に防がれ、高質画像が安定的に得られるとともに、機内汚染の問題が解消される。
【発明を実施するための最良の形態】
【００２３】
以下に本発明の実施の形態を添付図面に基づいて説明する。
【００２４】
［画像形成装置］
図１は本発明に係る画像形成装置の一形態としてのカラーレーザープリンタの断面図であり、図示のカラーレーザープリンタはタンデム型であって、その本体内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２５】
上記各画像形成ユニット１Ｍ，１Ｃ，１Ｙ，１Ｋは、像担持体である感光ドラム２ａ，２ｂ，２ｃ，２ｄ、現像装置３ａ，３ｂ，３ｃ，３ｄ、転写ローラ４ａ，４ｂ，４ｃ，４ｄ等を含んで構成されている。
【００２６】
上記現像装置３ａ〜３ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものであって、その詳細は後述する。
【００２７】
又、前記転写ローラ４ａ〜４ｄは、各一次転写部にて中間転写ベルト５を介して各感光ドラム２ａ〜２ｄに当接可能に配置されている。ここで、中間転写ベルト５は、二次転写対向ローラ６と駆動ローラ７及びテンションローラ８との間に張設されて各感光ドラム２ａ〜２ｄの下面側に走行可能に配置されており、前記二次転写対向ローラ６は、二次転写部において中間転写ベルト５を介して二次転写ローラ９に当接可能に配置されている。
【００２８】
又、装置本体１００内の底部には給紙カセット１０が着脱可能に設置されており、本体１００の上部には排紙トレイ１１が設けられている。ここで、給紙カセット１０には複数枚の不図示の用紙が積層収容されており、この給紙カセット１０からは用紙がピックアップローラ１２によって１枚ずつ取り出され、取り出された用紙は搬送ローラ１３，１４，１５によって搬送パスＬへと送り出される。又、搬送パスＬには、レジストローラ対１６、定着装置１７、搬送ローラ対１８及び排紙ローラ対１９が配置されている。尚、定着装置１７は、互いに当接して回転する加熱ローラ２０と加圧ローラ２１を備えている。
【００２９】
次に、以上の構成を有するカラーレーザープリンタによる画像形成動作について説明する。
【００３０】
画像形成開始信号が発せられると、各画像形成ユニット１Ｍ，１Ｃ，１Ｙ，１Ｋにおいて各感光ドラム２ａ〜２ｄが図１の矢印方向（反時計方向）に所定のプロセススピードで回転駆動され、これらの感光ドラム２ａ〜２ｄには、各色毎のカラー画像信号によって変調されたレーザー光が照射されて各色のカラー画像信号に対応した静電潜像がそれぞれ形成される。
【００３１】
そして、先ず、マゼンタ画像形成ユニット１Ｍの感光ドラム２ａ上に形成された静電潜像が現像装置３ａによって現像されてマゼンタトナー像として可視像化される。このマゼンタトナー像は、感光ドラム２ａと転写ローラ４ａとの間の一次転写部（転写ニップ部）において、トナーと逆極性の一次転写バイアスが印加された転写ローラ４ａの作用によって、図１の矢印方向に回転駆動されている中間転写ベルト５上に一次転写される。
【００３２】
上述のようにしてマゼンタトナー像が一次転写された中間転写ベルト５は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト５上のマゼンタトナー像に重ねて転写される。
【００３３】
以下同様にして、中間転写ベルト５上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト５上にはフルカラーのトナー像が形成される。
【００３４】
そして、中間転写ベルト５上のフルカラートナー像の先端が二次転写対向ローラ６と二次転写ローラ９間の二次転写部（転写ニップ部）に達するタイミングに合わせて、給紙カセット１０から取り出されてレジストローラ対１６へと送られて一時待機していた用紙が二次転写部へと搬送される。そして、二次転写部に搬送された用紙に、トナーと逆極性の二次転写バイアスが印加された二次転写ローラ９によってフルカラーのトナー像が中間転写ベルト５から一括して二次転写される。
【００３５】
而して、フルカラーのトナー像が転写された用紙は、定着装置１７へと搬送され、フルカラーのトナー像が加熱及び加圧されて用紙の表面に熱定着され、トナー像が定着された用紙は、搬送ローラ対１８によって搬送パスＬに沿って上方へと搬送され、排紙ローラ対１９によって排紙トレイ１１上に排出されて一連の画像形成動作が完了する。
【００３６】
［現像装置］
次に、本発明に係る前記現像装置３ａ〜３ｄの詳細を図２及び図３に基づいて説明する。
【００３７】
尚、４つの現像装置３ａ〜３ｄは二成分現像剤を用いたタッチダウン現像方式を採用するものであって、その構成は全て同じであるため、以下、マゼンタの現像装置３ａについてのみ説明する。
【００３８】
図２は現像装置要部の断面図であり、図示の現像装置３ａのハウジング２２内にはトナーとキャリアから成る二成分現像剤が収容されるとともに、二成分現像剤を磁気的に保持する磁気ローラ２３と、該磁気ローラ２３から移送されるトナーによってその表面にトナー薄層を担持する現像ローラ２４と、前記磁気ローラ２３の下方に配置されて飛散トナーを回収するための電極部材である回収ローラ２５と、二成分現像剤を撹拌する撹拌部材２６，２７を収容して構成されている。又、ハウジング２２内上部の磁気ローラ２３の近傍には、磁気ローラ２３表面に形成される磁気ブラシ（穂立ち）の高さを一定に保つための規制ブレード２８が固設されおり、ハウジング２２内の下部には、回収ローラ２５の外周面に摺接するクリーニングブレード２９が設けられている。
【００３９】
上記磁気ローラ２３と現像ローラ２４及び回収ローラ２５は、図２の紙面垂直方向に長く互いに平行に配されており、その軸方向（図２の紙面垂直方向）両端は不図示の軸受によって回転可能に支持され、これらにはバイアス電源３０，３１，３２がそれぞれ電気的に接続されている。ここで、バイアス電源３０，３１，３２は、交流電圧と直流電圧を重畳したバイアス電圧を磁気ローラ２３、現像ローラ２４、回収ローラ２５にそれぞれ印加するためのものである。
【００４０】
而して、本実施の形態においては、現像ローラ２４と回収ローラ２５間の距離Ａを磁気ローラ２３と回収ローラ２５間の距離Ｂよりも小さく設定したことを特徴とする（Ａ＜Ｂ）。ここで、現像ローラ２４と回収ローラ２５間の距離Ａは、回収ローラ２５に印加されるバイアス電圧が現像ローラ２４にリークしない程度であって、磁気ローラ２３上の磁気ブラシから飛散したトナーを再び現像ローラ２４又は回収ローラ２５で回収することができる値、具体的には０．５ｍｍ〜２．０ｍｍに設定されている。又、磁気ローラ２３と回収ローラ２５間の距離Ｂは、磁気ローラ２３上に形成される磁気ブラシの先端が回収ローラ２５の外周面を擦る程度、つまり、ハウジング２２の内部からのトナーの噴き出しを防ぎつつ回収ローラ２５へのキャリアの物理的な付着を防ぐことができる値、具体的には１．５ｍｍ〜３．０ｍｍに設定されている。
【００４１】
図３（ａ），（ｂ）に磁気ローラ２３と回収ローラ２５にそれぞれ印加されるバイアス電圧（交流電圧と直流電圧の重畳電圧）の波形を示すが、回収ローラ２５に印加する交流電圧の実効値Ｖdcはトナーと同極性（正極性）の４００Ｖに設定されるとともに、回収ローラ２５に印加する交流電圧の位相は磁気ローラ２３に印加する交流電圧の位相と同期している。
【００４２】
又、本実施の形態では、回収ローラ２５に印加する交流電圧の実効値Ｖdcの絶対値を４００Ｖに設定し、この値を磁気ローラ２３に印加する交流電圧の実効値Ｖdcの絶対値２００Ｖよりも大きく設定している。従って、回収ローラ２５と磁気ローラ２３間においては交流成分が相殺されて電位差は２００Ｖとなる。尚、本実施の形態では、磁気ローラ２３と回収ローラ２５に印加される電圧のピーク間電圧Ｖppは何れも１．２ｋＶ、周波数は何れも２ｋＨｚに設定されている。ここで、交流電圧の実効値Ｖdcとは、図３（ａ），（ｂ）に示す電圧波形において正極側に立ち上がる波形の面積Ｓ１と負極側に立ち上がる波形の面積Ｓ２が互いに等しくなる（Ｓ１＝Ｓ２）電圧を言う。
【００４３】
而して、現像装置３ａにおいては、ハウジング２２内に収容された二成分現像剤が撹拌部材２６，２７の回転によって撹拌されることによってトナーが正極性に摩擦帯電される。この二成分現像剤は、磁気ローラ２３が図２の矢印方向（時計方向）に回転することによって、磁気ローラ２３に内包されている固定マグネットによって磁気的に拘束されているキャリアとその表面に帯電保持されているトナーによって磁気ローラ２３の表面に磁気ブラシを形成し、この磁気ブラシは現像ローラ２４へと搬送される。
【００４４】
磁気ローラ２３上の磁気ブラシは、規制ブレード２８によって一定高さに層規制され、磁気ローラ２３と現像ローラ２４との電位差によってトナーのみが図２の矢印方向（時計方向）に回転している現像ローラ２４に飛翔して該現像ローラ２４上にトナー層を形成し、このトナー層が図１に示す感光ドラム２ａ上に形成された静電潜像の現像に供される。
【００４５】
上述のようにして現像が行われた後、残留トナー層を有する現像ローラ２４は、その対向位置において現像剤層を有する磁気ローラ２３に最接近し、この対向位置において磁気ローラ２３上の磁気ブラシによる機械的な力によって現像ローラ上２４の残留トナー層が掻き取られる。これと同時に、磁気ローラ２３と現像ローラ２４との間に形成される電位差（電界）に応じて磁気ローラ２３上の現像剤層からトナーが現像ローラ２４側に供給される。
【００４６】
ところで、現像装置３ａのハウジング２２内にはトナーの飛散が不可避的に発生するが、本実施の形態では、前述のように回収ローラ２５に印加する交流電圧の実効値Ｖdcをトナーと同極性（正極性）の４００Ｖに設定するとともに、この値を磁気ローラ２３に印加する交流電圧の実効値Ｖdcの絶対値２００Ｖよりも大きく設定しているため、回収ローラ２５と磁気ローラ２３間においては交流成分が相殺されて電位差は２００Ｖとなる。従って、正帯電した飛散トナーは磁気ローラ２３側に戻されて回収され、磁気ローラ２３表面からのトナーの飛散が防がれるとともに、キャリアの回収ローラ２５への付着が防がれる。又、帯電が不足するトナーや逆極性（負極性）に帯電したトナーは回収ローラ２５によって回収され、その飛散が防がれる。
【００４７】
特に、本実施の形態では、回収ローラ２５にトナーと同極性（正極性）の交流電圧を印加するようにしたため、磁気ローラ２３の表面に担持されたキャリアからトナーが離れにくくなり、この結果、磁気ローラ２３からのトナーの飛散が効果的に防がれる。
【００４８】
そして、本実施の形態では、回収ローラ２５に印加する交流電圧の位相を磁気ローラ２３に印加する交流電圧の位相と同期させたため、回収ローラ２５と磁気ローラ２３間には常に２００Ｖの電位差が発生し、この電位差によって飛散トナーが磁気ローラ２３側に移動して回収される。尚、本実施の形態では、回収ローラ２５に印加する交流電圧の実効値Ｖdcを４００Ｖに設定し、磁気ローラ２３に印加する交流電圧の実効値Ｖdcの絶対値を２００Ｖに設定して回収ローラ２５と磁気ローラ２３間に２００Ｖの電位差が生じるようにしたが、回収ローラ２５と磁気ローラ２３間の電位差が１００〜３００Ｖの範囲であれば、磁気ローラ２３表面からのトナー飛散を抑えつつ回収ローラ２５へのキャリアの付着を防ぐことができる。
【００４９】
而して、上述のように回収ローラ２５へのキャリアの付着が防がれると、回収ローラ２５の外周面に摺接して該回収ローラ２５をクリーニングするためのクリーニングブレード２９の負担が軽減されるため、該クリーニングブレード２９の破損や劣化が防がれ、その耐久性が高められる。
【００５０】
又、本実施の形態では、現像ローラ２４と回収ローラ２５間の距離Ａを磁気ローラ２３と回収ローラ２５間の距離Ｂよりも小さく設定し（Ａ＜Ｂ）、この距離Ａを回収ローラ２５に印加される電圧が現像ローラ２４にリークしない程度であって、且つ、磁気ローラ２３上の磁気ブラシから飛散したトナーを再び現像ローラ２４で回収することができる値（具体的には０．５ｍｍ〜２．０ｍｍ）に設定したため、万一、磁気ローラ２３からトナーが飛散しても、この飛散したトナーは回収ローラ２５と現像ローラ２４間の狭い隙間において回収ローラ２５又は現像ローラ２４によって再び捕集される。このため、ハウジング２２の現像ロー２４ラが開口する開口部からハウジング２２外へのトナーの漏出が確実に防がれ、トナーによる機内汚染の問題が解消される。尚、磁気ローラ２３と回収ローラ２５間の距離Ｂは、磁気ローラ２３上に形成される磁気ブラシ（穂立ち）の先端が回収ローラ２５の外周面を擦る程度（具体的には１．５ｍｍ〜３．０ｍｍ）に設定されているため、ハウジング２２の内部からのトナーの噴き出しを防ぎつつ回収ローラ２５へのキャリアの物理的な付着を防ぐことができる。
【００５１】
尚、以上は特にカラーレーザープリンタとこれに備えられた現像装置に本発明を適用した形態について説明したが、本発明は、プリンタ以外の複写機やファクシミリ或はこれらの複合機等の任意の画像形成装置とこれに備えられた現像装置に対しても同様に適用可能であることは勿論である。
【図面の簡単な説明】
【００５２】
【図１】本発明に係るカラーレーザープリンタの断面図である。
【図２】本発明に係る現像装置の断面図である。
【図３】（ａ）は磁気ローラに印加されるバイアス電圧の波形図、（ｂ）は回収ローラに印加されるバイアス電圧の波形図である。
【符号の説明】
【００５３】
１Ｍ          マゼンタ画像形成ユニット
１Ｃ          シアン画像形成ユニット
１Ｙ          イエロー画像形成ユニット
１Ｋ          ブラック画像形成ユニット
２ａ〜２ｄ    感光ドラム
３ａ〜３ｄ    現像装置
４ａ〜４ｄ    転写ローラ
５            中間転写ベルト
６            二次転写対向ローラ
７            駆動ローラ
８            テンションローラ
９            二次転写ローラ
１０          給紙カセット
１１          排紙トレイ
１２          ピックアップローラ
１３〜１５    搬送ローラ
１６          レジストローラ対
１７          定着装置
１８          搬送ローラ対
１９          排紙ローラ対
２０          加熱ローラ
２１          加圧ローラ
２２          現像装置のハウジング
２３          磁気ローラ
２４          現像ローラ
２５          回収ローラ（電極部材）
２６，２７    攪拌部材
２８          規制ブレード
２９          クリーニングブレード
３０〜３２    バイアス電源
１００        装置本体
Ａ            現像ローラと回収ローラ間の距離
Ｂ            磁気ローラと回収ローラ間の距離
Ｌ            搬送パス
【図１】
2010048839.tif 000003
【図２】
2010048839.tif 000004
【図３】
2010048839.tif 000005